(57)【特許請求の範囲】
【請求項１】
移動通信ネットワークに含まれる第１のネットワーク要素における加入者コンテキストを回復するための方法において、
ａ）上記第１のネットワーク要素が、加入者コンテキストが最後の再スタート後に更新されたかどうか指示する再スタート情報を受信し、
ｂ）上記第１のネットワーク要素が、上記受信された再スタート情報に基づいて、上記最後の再スタート後に更新された加入者コンテキストの使用を継続し、そして
ｃ）上記第１のネットワーク要素が、上記受信された再スタート情報に基づいて、最後の再スタート前に更新された加入者コンテキストをインアクチベートする、
という段階を含むことを特徴とする方法。
【請求項２】
上記再スタート情報は、再スタートカウンタ値であり、そしてコンテキストシグナリングメッセージと一緒に受信される請求項１に記載の方法。
【請求項３】
上記再スタートカウンタ値は、最後の再スタート前に更新された上記加入者コンテキストを決定するために、記憶された再スタートカウンタ値と比較される請求項２に記載の方法。
【請求項４】
上記記憶された再スタートカウンタ値は、上記受信された再スタートカウンタ値に基づいて更新される請求項３に記載の方法。
【請求項５】
上記再スタート情報は、上記最後の再スタート後に１回だけ受信される請求項１ないし４のいずれかに記載の方法。
【請求項６】
上記第１のネットワーク要素は、ＧＰＲＳサポートノードであり、そして上記再スタート情報は、トンネルマネージメントシグナリングメッセージと一緒に受信される請求項１ないし５のいずれかに記載の方法。
【請求項７】
上記加入者コンテキストは、ＰＤＰコンテキストである請求項６に記載の方法。
【請求項８】
上記再スタート情報は、別々に又は個別のメッセージにおいて受信される請求項１に記載の方法。
【請求項９】
上記再スタート情報は、再スタートカウンタ値である請求項８に記載の方法。
【請求項１０】
上記移動通信ネットワークが第２のネットワーク要素を含み、上記再スタート情報は、上記第２のネットワーク要素によって送信される請求項１に記載の方法。
【請求項１１】
第２のネットワーク要素（10）とともに移動通信ネットワークに含まれる第１のネットワーク要素(20)における加入者コンテキストを回復するためのシステムであって、
ａ）上記第１のネットワーク要素（20）と、上記第２のネットワーク要素（10）とを備え、
ｂ）上記第２のネットワーク要素（10）は、加入者コンテキストが最後の再スタート後に更新されたかどうか指示する再スタート情報を上記第１のネットワーク要素(20)に送信するための送信手段(15)を含み、そして
ｃ）上記第１のネットワーク要素(20)は、上記再スタート情報を受信するための受信手段(21)と、上記再スタート情報に応答して、上記最後の再スタート後に更新された加入者コンテキストの使用を継続し、そして上記最後の再スタート前に更新された加入者コンテキストをインアクチベートするための制御手段(24)とを含むことを特徴とするシステム。
【請求項１２】
上記第２のネットワーク要素(10)は、再スタート数をカウントするための再スタートカウンタ(13)と、上記再スタート数を加入者コンテキストメッセージに加えるための加算手段(14)とを含み、そして上記第１のネットワーク要素(20)は、上記再スタート数を、記憶手段(22)に記憶された再スタート数と比較しそしてその比較結果を上記制御手段(24)に供給するための比較手段(23)を含む請求項１１に記載のシステム。
【請求項１３】
上記制御手段(24)は、上記加入者コンテキストメッセージに含まれた新たな加入者コンテキストを記憶しそして上記第１のネットワーク要素(20)に記憶された古い加入者コンテキストを削除するように制御を遂行する請求項１１に記載のシステム。
【請求項１４】
上記第２のネットワーク要素(10)は、再スタート数をカウントするための再スタートカウンタ(13)と、上記再スタート数を、別々に又は個別メッセージにおいて上記第１のネットワーク要素(20)に送信すべく上記送信手段(15)へ切り換えるためのスイッチング手段とを備え、そして上記制御手段(24)は、最後の再スタート前に受信した対応する加入者コンテキストを削除又はインアクチベートするように構成された請求項１１に記載のシステム。
【請求項１５】
上記第１及び第２のネットワーク要素は、ＧＰＲＳサポートノード(4,5)であり、そして上記加入者コンテキストは、ＰＤＰコンテキストである請求項１１ないし１４のいずれかに記載のシステム。
【請求項１６】
第２のネットワーク要素（10）とともに移動通信ネットワークに含まれる第１のネットワーク要素(20)であって、
ａ）上記第２のネットワーク要素(10)によって送信された加入者コンテキストが最後の再スタート後に更新されたかどうか指示する再スタート情報を受信するための受信手段(21)と、
ｂ）上記再スタート情報に応答して、上記最後の再スタート後に更新された加入者コンテキストの使用を継続し、そして上記最後の再スタート前に更新された加入者コンテキストをインアクチベートするための制御手段(24)とを備えたことを特徴とする第１のネットワーク要素。
【請求項１７】
上記再スタート情報は、再スタート数であり、そして上記ネットワーク要素(20)は、上記再スタート数を、記憶手段(22)に記憶された再スタート数と比較しそしてその比較結果を上記制御手段(24)に供給するための比較手段(23)を含む請求項１６に記載の第１のネットワーク要素。
【請求項１８】
上記第１のネットワーク要素は、ＧＰＲＳサポートノード(4,5)であり、そして上記加入者コンテキストは、ＰＤＰコンテキストである請求項１６または１７に記載の第１のネットワーク要素。
【発明の詳細な説明】
【０００１】
【技術分野】
本発明は、ＧＰＲＳ（汎用パケット無線サービス）のような移動通信システムのＧＰＲＳサポートノード（ＧＳＮ）のようなネットワーク要素において加入者コンテキストを回復するための方法及びシステムに係る。
【０００２】
【背景技術】
ＧＰＲＳのサービスＧＰＲＳサポートノード（ＳＧＳＮ）やゲートウェイＧＰＲＳサポートノード（ＧＧＳＮ）のようなネットワーク要素は、通常、他のＧＳＮ即ちＳＧＳＮ又はＧＧＳＮが活性であることをポールするためにエコー要求メッセージを互いに送信する。
エコー要求メッセージを受信するＧＳＮは、再スタートカウンタ値をパラメータとして含むエコー応答メッセージで応答する。エコー応答メッセージを受信するＧＳＮは、その受信した再スタートカウンタ値を、その特定のピアＧＳＮに対して記憶された以前の再スタートカウンタ値と比較する。
【０００３】
以前に記憶された再スタートカウンタ値が、エコー応答メッセージで受け取られた再スタートカウンタ値と異なる場合には、エコー応答メッセージを送信したＧＳＮは、エコー応答メッセージを受信したＧＳＮにより、再スタートされているとみなされる。受信した新たな再スタートカウンタ値は、受信側ＧＳＮにより記憶され、送信側ＧＳＮに対して既に記憶された値と置き換えられる。その後、新たな（予期せぬ）再スタートカウンタ値と共にエコー応答メッセージを受信したＧＳＮは、送信側ＧＳＮに関連した全ての加入者コンテキスト、即ちパケットデータプロトコルコンテキスト（ＰＤＰコンテキスト）をインアクティブとみなす。
ＶＬＲ（ビジター位置レジスタ）再スタート手順は、ＶＬＲがＨＬＲ（ホーム位置レジスタ）に再スタートを通知する同様の手順である。ＶＬＲが再スタートされたときには、ＶＬＲに関する加入者情報の完全なセットがＶＬＲへ送信される。
【０００４】
図１は、２つのネットワーク要素ＮＥ１及びＮＥ２間で実行されるエコー手順の情報転送及び処理を示す原理図である。図１において、処理は上から始まって下へと向かう。
最初に、ネットワーク要素ＮＥ２は、エコー要求メッセージをネットワーク要素ＮＥ１へ送信し、該ネットワーク要素ＮＥ１は、再スタートカウンタ値（Ｎ＝ｎ）を含むエコー要求応答メッセージで応答する。両ネットワーク要素の再スタートカウンタ値が等しい場合には、ＮＥ２は、最後のエコー要求以来、再スタートが行われていないと仮定する。
【０００５】
その後、移動通信ネットワークの移動ステーション（ＭＳ）は、ネットワーク要素に対する新たな加入者コンテキストをアクチベートし、ＮＥ１及びＮＥ２において新たなコンテキストが形成されるようにする。次いで、ＮＥ１は、欠陥等によって再スタートされ、その再スタートカウンタが増加される。その後、ＭＳは、ＮＥ１及びＮＥ２において形成される更に別の加入者コンテキストをアクチベートする。
ＮＥ２が、ここで、エコー要求メッセージをＮＥ１に送信する場合には、エコー要求メッセージにおいて受信される再スタートカウンタ値が、ＮＥ１に対して既に記憶されている値と相違することになる。従って、ＮＥ２は、ＮＥ１の再スタートであると仮定し、ＮＥ１の全ての加入者コンテキストをインアクチベートするが、ある加入者コンテキストは、ＮＥ１の再スタート後も形成され、従って、依然有効である。
従って、不必要な加入者コンテキスト再アクチベーションを実行しなければならず、サービスの停止時間が長くなる。
【０００６】
【発明の開示】
そこで、本発明の目的は、不必要な加入者コンテキスト再アクチベーションを防止した加入者コンテキスト回復方法及びシステムを提供することである。
この目的は、移動通信ネットワークのネットワーク要素における加入者コンテキストを回復するための方法において、加入者コンテキストが最後の再スタート後に更新されたかどうか指示する再スタート情報を送信し、最後の再スタート後に更新された加入者コンテキストの使用を継続し、そして最後の再スタート前に更新された加入者コンテキストをインアクチベートするという段階を含む方法によって達成される。
【０００７】
更に、上記目的は、移動通信ネットワークのネットワーク要素における加入者コンテキストを回復するためのシステムにおいて、加入者コンテキストが最後の再スタート後に更新されたかどうか指示する再スタート情報を上記ネットワーク要素に送信するための送信手段を備え、そして上記ネットワーク要素は、上記再スタート情報を受信するための受信手段と、上記再スタート情報に応答して、上記最後の再スタート後に更新された加入者コンテキストの使用を継続すると共に、上記最後の再スタート前に更新された加入者コンテキストをインアクチベートするための制御手段とを含むシステムによって達成される。
【０００８】
従って、ネットワーク要素の最後の再スタート後に更新された新たな加入者コンテキストが指示され、そして再スタート後に受信した新たな加入者コンテキストの使用を続けることができる。従って、不必要な加入者コンテキスト再アクチベーションの量、及びサービスの停止時間が減少される。これは、エンドユーザにより観察されるクオリティに対して肯定的な作用を及ぼす。
更に、再スタート手順後に必要とされるシグナリングの量も減少される。というのは、少数の加入者コンテキストを再確立すればよいからである。
好ましくは、再スタート情報は、コンテキストシグナリングメッセージと共に送信される再スタートカウンタ値である。従って、再スタート情報が非常に迅速に受信され、作用を受ける加入者コンテキストに対して指定されたリスースを、他の加入者コンテキストをアクチベートするときに直ちに解放して使用することができる。
【０００９】
再スタートカウンタ値は、最後の再スタート前に更新された加入者コンテキストを決定するために、記憶された再スタートカウンタ値と比較される。この場合に、記憶された再スタートカウンタ値は、送信された再スタートカウンタ値に基づいて更新することができる。
再スタート情報の送信は、条件付で行うことができ、例えば、最後の再スタート後に１回だけ行うことができる。これにより、シグナリングの処理を最小限にすることができる。
【００１０】
ネットワーク要素は、再スタート情報がトンネルマネージメントシグナリングメッセージと一緒に送信されるＧＰＲＳサポートノードである。この場合、加入者コンテキストは、ＰＤＰコンテキストである。
更に、ネットワーク要素は、上記再スタート情報として送信された再スタート数を、記憶手段に記憶された再スタート数と比較しそしてその比較結果を制御手段に供給するための比較手段を含み、制御手段は、上記再スタート数に応答して、最後の再スタートの前に更新された加入者コンテキストをインアクチベートする。制御手段は、加入者コンテキストメッセージに含まれた新たな加入者コンテキストを記憶し、そしてネットワーク要素に記憶された古い加入者コンテキストを削除するように制御を遂行する。
【００１１】
【発明を実施するための最良の形態】
以下、添付図面を参照して、本発明の好ましい実施形態を詳細に説明する。
本発明の好ましい実施形態による回復方法を、図２を参照して以下に述べる。
図２は、ネットワーク要素ＮＥ１とＮＥ２との間の情報転送及びそれらネットワーク要素における処理を示す情報転送及び処理図である。ＭＳが加入者コンテキストをアクチベートする場合には、最後の再スタートを指示する再スタート数（Ｎ＝ｎ）のような再スタート情報が他の各ネットワーク要素に送信される。再スタートがＮＥ１において実行される場合には、その再スタート数が増加され、そして新たな加入者コンテキストがＮＥ１においてアクチベートされたときに、新たな再スタート数即ちＮ＝ｎ＋１がＮＥ２へ送信される。
【００１２】
従って、送信される新たな再スタート数（Ｎ＝ｎ＋１）をその記憶された以前の再スタート数（Ｎ＝Ｎ）と比較することにより、ＮＥ２は、ＮＥ１の再スタート後に受信される新たな加入者コンテキストを決定することができる。それにより、ＮＥ２は、ＮＥ１の再スタート前に受信された「古い」加入者コンテキストのみを削除し、そして新たな再スタート数Ｎ＝ｎ＋１を記憶することができる。
従って、加入者コンテキストは、ネットワーク要素の再スタート前に受信されたものと、その再スタート後に受信されたものに分離することができる。
【００１３】
図３は、本発明の好ましい実施形態により加入者コンテキストを回復するためのシステムの送信ネットワーク要素及び受信ネットワーク要素の原理的ブロック図である。
図３に示すように、送信ネットワーク要素１０は、新たな加入者コンテキストを形成するか或いは受信ネットワーク要素２０における加入者コンテキストのアドレスを更新するのに使用される加入者コンテキストメッセージを発生するためのメッセージ発生手段１１を備えている。更に、送信ネットワーク要素１０の再スタート動作が実行されるときに再スタートカウンタ１３を増加するように構成された再スタート制御手段１２も設けられる。
【００１４】
再スタートカウンタ１３のカウンタ値は、加算手段１４により、メッセージ発生手段１１から供給された加入者コンテキストメッセージに加えられる。加入者コンテキストメッセージ及び加えられた再スタートカウンタ値は、送信器１５へ供給されて、受信ネットワーク要素２０へ送信される。
受信ネットワーク要素２０には、加入者コンテキストメッセージ及び加えられたカウンタ値を受信するために受信器２１が設けられる。受信器２１は、受信した情報を、再スタートカウンタ値を読み取るための読み取り手段２１へ供給すると共に、加入者コンテキストメッセージに含まれた加入者コンテキストをコンテキストメモリ２５へ供給するように構成される。読み取り手段２１は、読み取ったカウンタ値を比較手段２３へ供給し、該比較手段は、読み取った再スタートカウンタ値を、記憶手段２２に記憶された以前の再スタートカウンタ値と比較し、そしてその比較結果を制御手段２４へ供給する。
【００１５】
比較結果が、受信した再スタートカウンタ値が記憶された以前の再スタートカウンタ値と同じであることを示す場合には、制御手段２４は、コンテキストメモリ２５をアクチベートして、加入者コンテキストメッセージに含まれた加入者コンテキストを記憶させる。
一方、比較結果が、受信した再スタートカウンタ値が以前の再スタートカウンタ値と異なることを示す場合には、制御手段２４は、送信ネットワーク要素１０に関連した記憶された加入者コンテキストを削除又はインアクチベートしそして受信した加入者コンテキストメッセージに含まれた加入者コンテキストを記憶するようにコンテキストメモリ２５を制御する。
従って、再スタートオペレーション前に受信された加入者コンテキストのみが受信ネットワーク要素２０において削除又はインアクチベートされる。
【００１６】
再スタートカウンタ値は、必ずしも、再スタート制御メッセージに加えなくてもよいことに注意されたい。別のやり方として、加算手段１４は、再スタートカウンタ１３から送信器１５へ再スタートカウンタ値を切り換えて受信ネットワーク要素２０へ別々に又は個別のメッセージで送信するのに使用されるスイッチング手段に置き換えることもでき、この場合、制御手段２４は、最後の再スタート前に受信された対応する加入者コンテキストを削除又はインアクチベートする。
以下、図４及び５を参照して、ＧＰＲＳネットワークのＳＧＳＮとＧＧＳＮとの間で行われる回復手順について説明する。
【００１７】
図４は、ＧＰＲＳシステムの原理的なブロック図である。図４を参照すれば、移動ステーション（ＭＳ）１は、ベーストランシーバステーション（ＢＴＳ）２に無線接続され、そしてＢＴＳは、ベースステーションコントローラ（ＢＳＣ）３に接続される。ＢＳＣ３は、ＳＧＳＮ４に接続され、そしてＳＧＳＮ４は、ＧＧＳＮ５に接続される。ＳＧＳＮ４及びＧＧＳＮ５は、ＧＰＲＳのメイン要素であるＧＰＲＳサポートノード（ＧＳＮ）を構成する。
ＧＧＳＮ５の主たる機能は、外部データネットワーク６との双方向作用を含む。ＧＧＳＮ５は、ＭＳ１の経路についてＳＧＳＮ４により供給されるルート情報を使用して位置ディレクトリを更新し、そしてＭＳ１に現在サービスしているＳＧＳＮ４に外部データネットワークプロトコルパケットをルート指定する。又、ＧＧＳＮ５は、外部データネットワークパケットをカプセル解除して適当なデータネットワークに転送し、そしてデータトラフィックの勘定を取り扱う。
【００１８】
ＳＧＳＮ４の主たる機能は、そのサービスエリアにおいてＧＰＲＳの新たなＭＳ１を検出し、新たなＭＳをＧＰＲＳレジスタに登録するプロセスを取り扱い、ＭＳ１へ／からデータパケットを送信／受信し、そしてそのサービスエリア内におけるＭＳ１の位置の記録を保持することである。契約情報は、データベースとして働くＧＰＲＳレジスタに記憶され、ここから、ＳＧＳＮ４は、そのエリアにいる新たなＭＳ１がＧＰＲＳネットワークに加わることが許されるかどうか尋ねることができる。
好ましい実施形態によれば、再スタートカウンタ値を含む回復情報エレメントが、ＳＧＳＮ４とＧＧＳＮとの間に送信されるトンネルマネージメントシグナリングメッセージに含まれる。このようなトンネルマネージメントシグナリングメッセージは、ＧＧＳＮ５においてＰＤＰコンテキストを制御するのに使用できる。各ＰＤＰコンテキストは、ＭＳ１のような移動加入者に関連している。
【００１９】
ＧＰＲＳによれば、トンネルマネージメントシグナリングメッセージは、ＰＤＰコンテキスト形成要求、ＰＤＰコンテキスト形成応答、ＡＡ  ＰＤＰコンテキスト形成要求、ＡＡ  ＰＤＰコンテキスト形成応答、ＰＤＰコンテキスト更新要求、ＰＤＰコンテキスト更新応答、ＰＤＰコンテキスト削除要求、ＰＤＰコンテキスト削除応答、ＡＡ  ＰＤＰコンテキスト削除要求、ＡＡ  ＰＤＰコンテキスト削除応答、エラー指示、ＰＤＵ通知拒絶要求、及びＰＤＵ通知拒絶応答のメッセージを含む。
又、回復情報エレメントは、条件付であってもよく、即ちＧＳＮが再スタートされそしてＧＳＮが再スタート後に始めて別のＧＳＮにシグナリングメッセージを送信する場合だけトンネルマネージメントシグナリングメッセージに組み込むことができる。従って、トンネルマネージメントシグナリングメッセージを受信するＧＳＮは、対応する再スタートにできるだけ早く反応し、従って、ＰＤＰコンテキストの不必要なインアクチベーションを回避することができる。
【００２０】
ＰＤＵ通知要求及びＰＤＵ通知応答メッセージは、トンネルマネージメントシグナリングメッセージの一部分でもあるが、回復情報エレメントを含む必要はない。というのは、ＰＤＵ通知要求は、ＳＧＳＮ４が（ＡＡ）ＰＤＰコンテキスト形成要求又はＰＤＵ通知拒絶要求のいずれかのメッセージをＧＧＳＮ５に送信するようにさせるからである。
最小限の実施形態によれば、再スタートカウンタ値を含む回復情報エレメントは、（ＡＡ）ＰＤＰコンテキスト形成要求、（ＡＡ）ＰＤＰコンテキスト形成応答、ＰＤＰコンテキスト更新要求、及びＰＤＰコンテキスト更新応答のメッセージにしか組み込まれない。というのは、それらは、新たなＰＤＰコンテキストを形成するか、或いはＧＧＳＮ５におけるＰＤＰコンテキストのＳＧＳＮアドレスを更新するのに使用されるからである。
以下、図５を参照して、本発明の好ましい実施形態によるＧＰＲＳ回復方法の一例を説明する。
【００２１】
図５は、ＰＤＰコンテキスト形成要求メッセージ及びＰＤＰコンテキスト形成応答メッセージに基づいてＳＧＳＮ４とＧＧＳＮ５との間で行われる回復手順を示す情報転送及び処理図である。
ＳＧＳＮ４は、ＰＤＰコンテキスト形成要求メッセージをＧＧＳＮ５に送信し、この要求メッセージは、ＳＧＳＮ４の再スタートカウンタ値を含む。再スタートカウンタ値が、ＳＧＳＮ４に対してＧＧＳＮ５が以前に記憶したものと同じである場合には、ＧＧＳＮが新たなＰＤＰコンテキストを通常のやり方で形成する。対応するＰＤＰコンテキストを形成した後に、ＧＧＳＮ５は、ＧＧＳＮ５の再スタートカウンタ値を指示するＰＤＰコンテキスト形成応答メッセージをＳＧＳＮ４へ送信する。再スタートカウンタ値が、ＧＧＳＮ５に対してＳＧＳＮ４が以前に記憶したものと同じである場合には、ＳＧＳＮ４が通常に動作する。
【００２２】
ここで、ＳＧＳＮ４において再スタートオペレーションが実行され、そしてＳＧＳＮ４の再スタートカウンタ値がそれに応じて増加されると仮定する。従って、ＳＧＳＮ４がＰＤＰコンテキスト形成要求メッセージをＧＧＳＮ５に送信する場合には、再スタートカウンタ値が、ＳＧＳＮ４に対して以前に記憶された値とは異なる。このため、ＧＧＳＮ５は、ＳＧＳＮ４を用いて全てのＰＤＰコンテキストをインアクチベートし、そしてＰＤＰコンテキスト形成メッセージに含まれた新たなＰＤＰコンテキストを通常のやり方で形成する。対応するＰＤＰコンテキストを形成した後に、ＧＧＳＮ５は、その再スタートカウンタ値を含むＰＤＰコンテキスト形成応答メッセージをＳＧＳＮ４に送信する。再スタートカウンタ値が、ＧＧＳＮ５に対してＳＧＳＮ４が以前に記憶したものと同じである場合には、ＳＧＳＮ４が通常に動作する。再スタートカウンタ値が、ＧＧＳＮ５に対して以前に記憶された値と異なる場合には、ＳＧＳＮ４が、形成されているもの以外の全ての他のＰＤＰコンテキストを、ＧＧＳＮ５を使用してインアクチベートする。
【００２３】
従って、ＧＳＮが再スタートされた場合には、再スタートの前にアクチベートされたＰＤＰコンテキストであって再スタートしたＧＳＮを使用するＰＤＰコンテキストのみがインアクチベートされる。ＧＳＮは、再スタート情報をできるだけ迅速に受信するので、作用を受けるＰＤＰコンテキストに対して指定されたリソースを直ちに解放することができる。
好ましい実施形態において説明した回復方法及びシステムは、加入者コンテキストがネットワーク要素間で回復されるようないかなる移動通信ネットワークにも使用できることを指摘しておく。
添付図面を参照した好ましい実施形態の上記説明は、単に本発明を例示するものに過ぎない。本発明の好ましい実施形態は、請求の範囲内で変更し得る。
【００２４】
要約すれば、移動通信ネットワークのネットワーク要素における加入者コンテキストを回復する方法及びシステムが開示され、最後の再スタート後に更新された新たな加入者コンテキストは、それに対応する再スタート情報をネットワーク要素に送信することにより指示される。この再スタート情報に基づいて、ネットワーク要素は、最後の再スタート後に更新された新たな加入者コンテキストの使用を継続し、そして最後の再スタート前に更新された古い加入者コンテキストをインアクチベートする。これにより、不必要な加入者コンテキスト再アクチベーションの量、及びそれに対応するサービス停止時間が減少される。更に、少数の加入者コンテキストを再確立すればよいので、再スタート後に必要とされるシグナリングの量が減少される。
【図面の簡単な説明】
【図１】  ネットワーク要素間で実行される既知のエコー手順の情報転送及び処理図である。
【図２】  本発明の好ましい実施形態による回復方法の情報転送及び処理図である。
【図３】  本発明の好ましい実施形態による回復システムの送信ネットワーク要素及び受信ネットワーク要素の原理的ブロック図である。
【図４】  本発明の好ましい実施形態による回復方法及びシステムが実施されるＧＰＲＳネットワークのブロック図である。
【図５】  本発明の好ましい実施形態によるＰＤＰコンテキスト回復方法の情報転送及び処理図である。
【図１】
0003872292.tif 000002
【図２】
0003872292.tif 000003
【図３】
0003872292.tif 000004
【図４】
0003872292.tif 000005
【図５】
0003872292.tif 000006